(57)【要約】【課題】  セグメントメタデータを利用してコンテンツの一部区間のみを視聴した場合に、視聴率に反映可能なデジタル放送のデジタル放送再生装置を提供する。【解決手段】  デジタル放送再生装置１０５は、デジタル放送のコンテンツを受信するコンテンツ受信部２０１と、コンテンツを記憶するコンテンツ記憶部２０５と、コンテンツ記憶部２０５に記憶されたコンテンツを、セグメントメタデータを利用して再生するコンテンツ再生部２０２と、コンテンツ再生部２０２にてコンテンツを再生したときに、再生したセグメントを示す再生セグメント情報を抽出する再生セグメント情報抽出部２０６と、再生セグメント情報抽出部２０６にて抽出された再生セグメント情報と、再生したコンテンツのコンテンツ識別情報とを関連付けて視聴履歴として記憶する視聴履歴記憶部２０７と、視聴履歴を視聴履歴収集センターに送信する視聴履歴送信部２０８とを備えた構成を有する。【選択図】図１
2008092526.tif 000002
【特許請求の範囲】
【請求項１】
コンテンツを識別するコンテンツ識別情報が付加されたデジタル放送のコンテンツを受信するコンテンツ受信部と、
前記コンテンツ受信部にて受信したコンテンツを記憶するコンテンツ記憶部と、
前記コンテンツ記憶部に記憶されたコンテンツを、セグメントメタデータを利用して再生するコンテンツ再生部と、
前記コンテンツ再生部にてコンテンツを再生したときに、再生したセグメントを示す再生セグメント情報を抽出する再生セグメント情報抽出部と、
前記再生セグメント情報抽出部にて抽出された再生セグメント情報と、再生したコンテンツのコンテンツ識別情報とを関連付けて視聴履歴として記憶する視聴履歴記憶部と、
前記視聴履歴を視聴履歴収集センターに送信する視聴履歴送信部と、
を備えたことを特徴とするデジタル放送再生装置。
【請求項２】
前記再生セグメント情報抽出部は、再生セグメントの開始時刻および終了時刻を示す情報、または再生セグメントを特定する識別情報を、再生セグメント情報として抽出することを特徴とする請求項１に記載のデジタル放送再生装置。
【請求項３】
前記再生セグメント情報抽出部は、複数の再生セグメントが連続して再生された場合に、複数の再生セグメントの纏まりを識別する情報、または、再生セグメントの再生順序を示す情報を抽出することを特徴とする請求項１又は２に記載のデジタル放送再生装置。
【請求項４】
前記再生セグメント情報抽出部は、再生されたセグメントの内容がＣＭであるか否かを示す情報を抽出することを特徴とする請求項１〜３のいずれかに記載のデジタル放送再生装置。
【請求項５】
前記視聴履歴として個人情報を前記視聴履歴収集センターに送信することが許可されているか否かを示す情報を記憶する個人情報送信可否記憶部を備え、
前記視聴履歴送信部は、前記個人情報送信可否記憶部に記憶された情報に基づいて前記視聴履歴収集センターへの個人情報の送信が許可されているか否かを判定し、個人情報の送信が許可されている場合に、前記視聴履歴に個人情報を付加して前記視聴履歴収集センターに送信することを特徴とする請求項１〜４のいずれかに記載のデジタル放送再生装置。
【請求項６】
前記個人情報は、ＣＡＳ−ＩＤ（Conditional Access System ＩＤ）であることを特徴とする請求項５に記載のデジタル放送再生装置。
【請求項７】
請求項１〜６のいずれかに記載のデジタル放送再生装置と、
前記デジタル放送再生装置から送信される視聴履歴を受信し、受信した視聴履歴に基づいてコンテンツ内のセグメント視聴率を算出する視聴履歴収集センターと、
を備えたことを特徴とする視聴履歴収集システム。
【請求項８】
請求項５又は６に記載のデジタル放送再生装置と、
前記デジタル放送再生装置から送信される視聴履歴を受信し、受信した視聴履歴に基づいてまたはコンテンツ内のセグメント視聴率を算出する視聴履歴収集センターと、
を備え、
前記視聴履歴収集センターは、視聴履歴に付加された個人情報に基づいて、同一の視聴者が同一のコンテンツを複数回視聴した場合の２回目以降の視聴履歴をセグメント視聴率の算出から除外することを特徴とする視聴履歴収集システム。
【請求項９】
コンテンツを識別するコンテンツ識別情報が付加されたデジタル放送のコンテンツを受信するコンテンツ受信ステップと、
前記コンテンツ受信ステップにて受信したコンテンツをコンテンツ記憶部に記憶するコンテンツ記憶ステップと、
前記コンテンツ記憶部に記憶されたコンテンツを、セグメントメタデータを利用して再生するコンテンツ再生ステップと、
前記コンテンツ再生ステップにてコンテンツを再生したときに、再生したセグメントを示す再生セグメント情報を抽出する再生セグメント情報抽出ステップと、
前記再生セグメント情報抽出ステップにて抽出された再生セグメント情報と、再生したコンテンツのコンテンツ識別情報とを関連付けて視聴履歴として視聴履歴記憶部に記憶する視聴履歴記憶ステップと、
前記視聴履歴を視聴履歴収集センターに送信する視聴履歴送信ステップと、
を備えたことを特徴とする視聴履歴収集方法。
【請求項１０】
前記再生セグメント情報抽出ステップは、再生セグメントの開始時刻および終了時刻を示す情報、または再生セグメントを特定する識別情報を、再生セグメント情報として抽出することを特徴とする請求項９に記載の視聴履歴収集方法。
【請求項１１】
前記再生セグメント情報抽出ステップは、複数の再生セグメントが連続して再生された場合に、複数の再生セグメントの纏まりを識別する情報、または、再生セグメントの再生順序を示す情報を抽出することを特徴とする請求項９又は１０に記載の視聴履歴収集方法。
【請求項１２】
前記再生セグメント情報抽出ステップは、再生されたセグメントの内容がＣＭであるか否かを示す情報を抽出することを特徴とする請求項９〜１１のいずれかに記載の視聴履歴収集方法。
【請求項１３】
前記視聴履歴情報として個人情報を前記視聴履歴収集センターに送信することが許可されているか否かを示す情報を個人情報送信可否記憶部に記憶する個人情報送信可否記憶ステップを備え、
前記視聴履歴送信ステップは、前記個人情報送信可否記憶部に記憶された情報に基づいて前記視聴履歴収集センターへの個人情報の送信が許可されているか否かを判定し、個人情報の送信が許可されている場合に、前記視聴履歴に個人情報を付加して前記視聴履歴収集センターに送信することを特徴とする請求項９〜１２のいずれかに記載の視聴履歴収集方法。
【請求項１４】
前記個人情報は、ＣＡＳ−ＩＤ（Conditional Access System ＩＤ）であることを特徴とする請求項１３に記載の視聴履歴収集方法。
【発明の詳細な説明】
【技術分野】
【０００１】
本発明は、デジタル放送のデジタル放送再生装置、視聴履歴収集システム、および視聴履歴収集方法に関する。
【背景技術】
【０００２】
従来のテレビ放送においては、視聴率調査会社が抽出した特定の世帯に視聴率調査端末を設置して視聴情報を収集する。また、別の方法として、インターネットまたは電話回線を利用したアップロードや調査員による調査世帯の訪問によって、視聴情報を収集する。視聴率調査会社は、収集された情報に基づいて、最小１分単位で視聴率の算出を行い、広告会社やテレビ局などに、ＦＡＸやインターネットを通じて送信する。
【０００３】
算出された視聴率は、放送局、広告会社、広告主がＣＭ（コマーシャル）の視聴世帯数を把握するための情報として利用されている。放送局、広告会社、広告主は、広告料を決める要素として視聴率を利用している。従って、放送局、広告会社、広告主にとって、視聴率を正確に把握することが重要である。
【０００４】
２００７年頃に放送開始が予定されているサーバー型放送では、放送された映像・音声や情報及び通信から取得した映像・音声や情報を一旦受信機に蓄積して活用するサービスが行われる。そのサービスの一つとして、放送される映像の区間に関する情報であるセグメントメタデータを利用し、蓄積された映像の一部の区間のみを視聴したり、番組の見所のみを抽出して視聴するダイジェスト視聴などが行われる見込みである。
【０００５】
ここで、メタデータとは、コンテンツそのものではなく、コンテンツについての情報を記述したデータである。セグメントメタデータとは、動画を複数の区間に分割したときの区間のメタデータである。セグメントメタデータは、対象区間の画像の内容の情報（意味メタデータともいう、例えばセグメントのタイトル）と、対象区間の開始時間及び終了時間の情報（区間メタデータともいう）とで構成される。
【０００６】
上記のように、蓄積されたコンテンツを再生する形態の視聴履歴を収集する方法は、例えば、特許文献１に開示されている。特許文献１に記載された方法では、放送用コンテンツそれぞれに識別情報を付加し、視聴データ収集用プログラムと共に送信し、１つの放送用コンテンツが受信・表示されたときに、視聴データ収集プログラムの実行により視聴履歴を収集する。
【特許文献１】特開２００２−２１７８５０号公報
【発明の開示】
【発明が解決しようとする課題】
【０００７】
しかしながら、特許文献１に記載された方法は、従来のテレビ放送の場合と同様に、コンテンツ単位で視聴履歴を収集している。上記したように、今後は、サービス事業者から提供されたセグメントメタデータを利用してコンテンツの一部区間のみの視聴する場合が増えてくることが予想される。このため、コンテンツ単位の視聴履歴収集は、視聴者の視聴行動の実態にそぐわなくなると予想される。
【０００８】
本発明は、上記背景に鑑み、セグメントメタデータを利用して蓄積したコンテンツの一部区間のみを視聴した場合に、セグメントごとの視聴履歴を収集できるデジタル放送再生装置、視聴履歴収集システム、および視聴履歴収集方法を提供することを目的とする。
【課題を解決するための手段】
【０００９】
本発明のデジタル放送再生装置は、コンテンツを識別するコンテンツ識別情報が付加されたデジタル放送のコンテンツを受信するコンテンツ受信部と、前記コンテンツ受信部にて受信したコンテンツを記憶するコンテンツ記憶部と、前記コンテンツ記憶部に記憶されたコンテンツを、セグメントメタデータを利用して再生するコンテンツ再生部と、前記コンテンツ再生部にてコンテンツを再生したときに、再生したセグメントを示す再生セグメント情報を抽出する再生セグメント情報抽出部と、前記再生セグメント情報抽出部にて抽出された再生セグメント情報と、再生したコンテンツのコンテンツ識別情報とを関連付けて視聴履歴として記憶する視聴履歴記憶部と、前記視聴履歴を視聴履歴収集センターに送信する視聴履歴送信部とを備えた構成を有する。
【００１０】
この構成により、セグメントメタデータを利用してコンテンツを再生したときに、再生したセグメントを示す再生セグメント情報を抽出し、抽出した再生セグメント情報に基づいて視聴履歴を生成する。そして、視聴履歴を視聴履歴収集センターに送信するので、視聴履歴収集センターにセグメントごとの視聴履歴を収集することができる。また、コンテンツ内でセグメントを特定できる情報である再生セグメント情報をコンテンツ識別子に関連付けて視聴履歴とするので、視聴履歴によって、視聴者が視聴したセグメントを一意に特定することができる。
【００１１】
本発明のデジタル放送再生装置において、前記再生セグメント情報抽出部は、再生セグメントの開始時刻および終了時刻を示す情報、または再生セグメントを特定する識別情報を、再生セグメント情報として抽出する構成を有する。
【００１２】
再生セグメント情報としては、再生セグメントの開始時刻および終了時刻を示す情報を用いても、再生セグメントを特定する識別情報を用いても、セグメントを一意に特定することができる。
【００１３】
本発明のデジタル放送再生装置において、前記再生セグメント情報抽出部は、複数の再生セグメントが連続して再生された場合に、複数の再生セグメントの纏まりを識別する情報、または、再生セグメントの再生順序を示す情報を抽出する構成を有する。
【００１４】
この構成により、蓄積したコンテンツを複数のセグメントメタデータを利用して再生した際に、視聴単位や視聴順序といった付加的な視聴履歴を視聴履歴収集センターに送信することができる。
【００１５】
本発明のデジタル放送再生装置において、前記再生セグメント情報抽出部は、再生されたセグメントの内容がＣＭであるか否かを示す情報を抽出する構成を有する。
【００１６】
この構成により、再生されたセグメントの内容がＣＭであるか否かの情報を、付加的な視聴履歴として視聴履歴収集センターに送信することができる。
【００１７】
本発明のデジタル放送再生装置は、前記視聴履歴として個人情報を前記視聴履歴収集センターに送信することが許可されているか否かを示す情報を記憶する個人情報送信可否記憶部を備え、前記視聴履歴送信部は、前記個人情報送信可否記憶部に記憶された情報に基づいて前記視聴履歴収集センターへの個人情報の送信が許可されているか否かを判定し、個人情報の送信が許可されている場合に、前記視聴履歴に個人情報を付加して前記視聴履歴収集センターに送信する構成を有する。
【００１８】
この構成により、視聴履歴収集センターでは、視聴履歴の提供者を識別することが可能となる。
【００１９】
本発明のデジタル放送再生装置は、前記個人情報として、ＣＡＳ−ＩＤ（Conditional Access System ＩＤ）を用いる。
【００２０】
この構成により、ＣＡＳ−ＩＤで個人を特定することが可能で、氏名や住所といった個人情報を漏洩するおそれがなくなる。
【００２１】
本発明の視聴履歴収集システムは、上記のデジタル放送再生装置と、前記デジタル放送再生装置から送信される視聴履歴を受信し、受信した視聴履歴に基づいてコンテンツ内のセグメント視聴率を算出する視聴履歴収集センターとを備えた構成を有する。
【００２２】
この構成により、デジタル放送再生装置から受信した視聴履歴情報に基づいて、視聴履歴収集センターがコンテンツ内の区間視聴率を算出することができる。
【００２３】
本発明の視聴履歴収集システムは、上記のデジタル放送再生装置と、前記デジタル放送再生装置から送信される視聴履歴を受信し、受信した視聴履歴に基づいてまたはコンテンツ内のセグメント視聴率を算出する視聴履歴収集センターとを備え、前記視聴履歴収集センターは、視聴履歴情報に付加された個人情報に基づいて、同一の視聴者が同一のコンテンツを複数回視聴した場合の２回目以降の視聴履歴をセグメント視聴率の算出から除外する構成を有する。
【００２４】
この構成により、同一視聴者が同一のコンテンツを複数回視聴した場合にも、当該視聴者によるコンテンツの視聴回数は１回として視聴率が算出される。これにより、特定の視聴者の複数回の視聴によって、不当に視聴率が偏ることがない。
【００２５】
本発明の視聴履歴収集方法は、コンテンツを識別するコンテンツ識別情報が付加されたデジタル放送のコンテンツを受信するコンテンツ受信ステップと、前記コンテンツ受信ステップにて受信したコンテンツをコンテンツ記憶部に記憶するコンテンツ記憶ステップと、前記コンテンツ記憶部に記憶されたコンテンツを、セグメントメタデータを利用して再生するコンテンツ再生ステップと、前記コンテンツ再生ステップにてコンテンツを再生したときに、再生したセグメントを示す再生セグメント情報を抽出する再生セグメント情報抽出ステップと、前記再生セグメント情報抽出ステップにて抽出された再生セグメント情報と、再生したコンテンツのコンテンツ識別情報とを関連付けて視聴履歴として視聴履歴記憶部に記憶する視聴履歴記憶ステップと、前記視聴履歴を視聴履歴収集センターに送信する視聴履歴送信ステップとを備えた構成を有する。
【００２６】
この構成により、本発明のデジタル放送受信装置と同様に、視聴履歴収集センターにセグメントごとの視聴履歴を収集することができる。
【００２７】
本発明の視聴履歴収集方法において、前記再生セグメント情報抽出ステップは、再生セグメントの開始時刻および終了時刻を示す情報、または再生セグメントを特定する識別情報を、再生セグメント情報として抽出する構成を有する。
【００２８】
再生セグメント情報としては、再生セグメントの開始時刻および終了時刻を示す情報を用いても、再生セグメントを特定する識別情報を用いても、セグメントを一意に特定することができる。
【００２９】
本発明の視聴履歴収集方法において、前記再生セグメント情報抽出ステップは、複数の再生セグメントが連続して再生された場合に、複数の再生セグメントの纏まりを識別する情報、または、再生セグメントの再生順序を示す情報を抽出する構成を有する。
【００３０】
この構成により、本発明のデジタル放送受信装置と同様に、視聴単位や視聴順序といった付加的な視聴履歴を視聴履歴収集センターに送信することができる。
【００３１】
本発明の視聴履歴収集方法において、前記再生セグメント情報抽出ステップは、再生されたセグメントの内容がＣＭであるか否かを示す情報を抽出する構成を有する。
【００３２】
この構成により、本発明のデジタル放送受信装置と同様に、再生されたセグメントの内容がＣＭであるか否かの情報を、付加的な視聴履歴として視聴履歴収集センターに送信することができる。
【００３３】
本発明の視聴履歴収集方法は、前記視聴履歴情報として個人情報を前記視聴履歴収集センターに送信することが許可されているか否かを示す情報を個人情報送信可否記憶部に記憶する個人情報送信可否記憶ステップを備え、前記視聴履歴送信ステップは、前記個人情報送信可否記憶部に記憶された情報に基づいて前記視聴履歴収集センターへの個人情報の送信が許可されているか否かを判定し、個人情報の送信が許可されている場合に、前記視聴履歴に個人情報を付加して前記視聴履歴収集センターに送信する構成を有する。
【００３４】
この構成により、本発明のデジタル放送受信装置と同様に、視聴履歴収集センターでは、視聴履歴の提供者を識別することが可能となる。
【００３５】
本発明の視聴履歴収集方法は、前記個人情報として、ＣＡＳ−ＩＤ（Conditional Access System ＩＤ）を用いる。
【００３６】
この構成により、本発明のデジタル放送受信装置と同様に、氏名や住所といった個人情報を漏洩するおそれがなくなる。
【発明の効果】
【００３７】
本発明は、セグメントメタデータを利用したコンテンツを再生したときに、再生したセグメントを示す再生セグメント情報を抽出し、抽出した再生セグメント情報に基づいて視聴履歴を生成し、生成した視聴履歴を視聴履歴収集センターに送信するので、視聴履歴収集センターにセグメントごとの視聴履歴を収集することができるというすぐれた効果を有する。
【発明を実施するための最良の形態】
【００３８】
以下、本発明の実施の形態に係るデジタル放送のデジタル放送再生装置、視聴履歴収集システム、および視聴履歴収集方法について、図面を用いて説明する。
【００３９】
視聴履歴収集システム１は、デジタル放送を実現するデジタル放送システムに視聴収集機能を付加したものである。視聴履歴収集システム１は、デジタル放送再生装置１０５がセグメントメタデータを利用して蓄積したコンテンツを再生した場合に、その視聴履歴をユーザの操作を介さずに収集する。
【００４０】
図１は、デジタル放送再生装置１０５の構成を示す図である。図１を参照して、本実施の形態のデジタル放送再生装置１０５について説明する前に、視聴履歴収集システム１の全体の構成を説明する。
【００４１】
図２は、視聴履歴収集システム１の構成を示す図である。視聴履歴収集システム１は、デジタル放送のコンテンツを提供する放送・通信局１００と、デジタル放送のコンテンツを受信して再生するデジタル放送再生装置１０５と、複数のデジタル放送再生装置１０５から視聴履歴を収集する視聴履歴収集センター１０６とを備えている。
【００４２】
放送・通信局１００は、放送用コンテンツを２つのルートで各デジタル放送再生装置１０５に送信する。第１に、放送・通信局１００は、放送設備１０１を利用して放送所（衛星や東京タワーなどの電波塔）を介して、デジタル放送再生装置１０５にコンテンツを送信する。第２に、放送・通信局１００は、通信設備１０２を利用してインターネット網１０４を介して、デジタル放送再生装置１０５にコンテンツを送信する。放送・通信局１００が送信するコンテンツには、コンテンツを識別するためのコンテンツ識別情報が含まれる。
【００４３】
デジタル放送再生装置１０５は、放送・通信局から受信したコンテンツをセグメントメタデータを利用して再生し、その視聴履歴をデジタル放送再生装置１０５内に記憶し、記憶した視聴履歴を視聴履歴収集タイミングにインターネット網１０４を介して視聴履歴収集センター１０６に送信する。
【００４４】
図１は、デジタル放送再生装置１０５の構成を示す図である。デジタル放送再生装置１０５は、コンテンツ受信部２０１と、コンテンツ再生部２０２と、コンテンツ再生操作受信部２０３と、個人情報記憶部２０４と、コンテンツ記憶部２０５と、再生セグメント情報抽出部２０６と、視聴履歴記憶部２０７と、視聴履歴送信部２０８と、制御部２０９とを備えている。
【００４５】
コンテンツ受信部２０１は、放送・通信局１００から放送所１０３やインターネット網１０４を介して送信されるコンテンツを受信する。コンテンツ受信部２０１は、受信したコンテンツにデコード等の適切な処理を行った後に、コンテンツをコンテンツ記憶部２０５に記憶する。
【００４６】
図３は、コンテンツ記憶部に記憶されたコンテンツの例を示す図である。コンテンツＡ３０１は、「００:００:００−００:０４:００」の区間に「人物ａ」の映像、「００:０４:００−００:０６:００」の区間に「人物ｂ」の映像、「００:０６:００−００:０８:００」の区間に「ＣＭア」の映像、「００:０８:００−００:１２:００」の区間に「人物ａ」の映像、「００:１２:００−００:１４:００」の区間に「人物ｃ」の映像、「００:１４:００−００:１６:００」の区間に「ＣＭイ」の映像を含んでいる。別のコンテンツＢ３０２は、「００:００:００−００:０２:００」の区間に「ＣＭ３」の映像、「００:０２:００−００:１０:３０」の区間に「人物ａ」の映像、「００:１０:３０−００:１６:００」の区間に「ＣＭア」の映像を含んでいる。ただし、コンテンツＡ３０１およびコンテンツＢ３０２のいずれにおいても、映像は分割されているわけではなく、図３は、コンテンツの所定の時間帯に人物やＣＭの映像が含まれていることを示す。
【００４７】
コンテンツ再生操作受信部２０３は、セグメントメタデータを利用したコンテンツ再生指示をリモコンなどから受信する。コンテンツ再生操作受信部２０３は、受信したコンテンツ再生指示の情報を制御部２０９に通知する。
【００４８】
図４は、コンテンツの区間再生を行うために利用するセグメントメタデータの例を示す図である。１行が１つのセグメントメタデータを表す。セグメントメタデータは、セグメント識別子４０１、セグメントタイトル４０２、セグメント開始点４０３、セグメント終了点４０４、対象コンテンツ識別子４０５、セグメントグループ４０６の各情報を有する。セグメント識別子４０１は、セグメントを特定する識別子である。セグメント識別子４０１は、そのセグメントを含むコンテンツ内で一意である。セグメントタイトル４０２は、そのセグメントに含まれる映像の内容を示す情報である。セグメント開始点４０３、セグメント終了点４０４は、セグメントが再生される時間帯の開始点と終了点を示す情報である。対象コンテンツ識別子４０５は、そのセグメントを含むコンテンツを特定する情報である。セグメントグループ４０６は、連続再生するコンテンツを示す情報である。
【００４９】
図４の１行目４００のセグメントメタデータの識別を表す項目４０１は「１」、セグメントタイトル４０２の文字列は「ＣＭア」、セグメントメタデータの区間の開始点４０３は「００:０６:００」、セグメントメタデータの区間の終了点４０４は「００:０８:００」、このセグメントメタデータの対象のコンテンツ４０５は「コンテンツＡ」、このセグメントメタデータが属するグループ４０６は「１」であることを表す。このセグメントメタデータ４００を利用してコンテンツを再生すると、コンテンツＡ３０１の「００:０６:００−００:０８:００」までの区間が再生される。また、セグメントグループ４０６の情報を利用してコンテンツを再生すると同一のセグメントグループの値のセグメントメタデータに従って順次コンテンツが再生される。
【００５０】
制御部２０９は、再生指示されたセグメントメタデータを解釈し、セグメントメタデータの区間情報に従って、コンテンツ記憶部２０５に記憶されているコンテンツを再生する。
【００５１】
コンテンツ再生部２０２は、コンテンツ記憶部２０５に記憶されたコンテンツ（図３参照）を、リモコンなどの操作により入力されたセグメントメタデータを利用したコンテンツの再生指示に従って、コンテンツを表示する。
【００５２】
再生セグメント情報抽出部２０６は、セグメントメタデータを利用した再生が終了した時点で再生区間などの情報を視聴履歴情報として抽出し、視聴履歴記憶部２０７に記憶する。
【００５３】
図５は、視聴履歴収集センター１０６に送信される視聴履歴情報と個人情報を関連付けた情報の例を示す図である。１行が１つのセグメントメタデータを利用してコンテンツを再生した視聴履歴を表す。視聴履歴情報には、セグメント識別子５０１、視聴開始区間５０２、視聴終了区間５０３、視聴順序５０４、コンテンツ識別子５０５、視聴グループ５０６、ＣＭ識別５０７、ＣＡＳ−ＩＤ５０８を含んでいる。セグメント識別子５０１は、セグメントを特定する識別子である。セグメント識別子５０１は、図４に示すセグメントメタデータに含まれるセグメント識別子４０１と同じ情報である。視聴開始区間５０２、視聴終了区間５０３は、視聴した時間帯の開始点と終了点を示す情報である。視聴開始区間５０２、視聴終了区間５０３は、図４に示すセグメントデータに含まれるセグメント開始点４０３、セグメント終了点４０４と同じ情報である。視聴順序５０４は、セグメントデータの視聴順序を示す情報である。コンテンツ識別子５０５は、そのセグメントを含むコンテンツを特定する情報である。コンテンツ識別子５０５は、図４に示すセグメントメタデータに含まれる対象コンテンツ識別子４０５と同じ情報である。視聴グループ５０６は、他のセグメントメタデータと組み合わせて連続視聴した場合に連続視聴を識別する情報である。視聴グループ５０６は、図４に示すセグメントデータに含まれるセグメントグループ４０６と同じ情報である。ＣＭ識別５０７は、そのセグメントデータがＣＭであるか否かを示す情報である。ＣＡＳ−ＩＤ５０８は、そのセグメントデータを視聴した個人を識別する情報である。
【００５４】
図５の１行目５００のコンテンツ視聴に利用されたセグメントメタデータを識別する為のセグメント識別子５０１は「１」、セグメントメタデータを利用して再生されたコンテンツ内の開始点５０２はコンテンツの先頭から６分後であることを示す「００:０６:００」、セグメントメタデータを利用して再生されたコンテンツ内の終了点５０３はコンテンツの先頭から８分後であることを示す「００:０８:００」、このセグメントメタデータを利用して再生されたコンテンツ識別子５０５は「コンテンツＡ」、他のセグメントメタデータと組み合わせて連続視聴した場合に連続視聴を識別するための視聴グループ情報５０６は「１」、視聴グループ内での視聴順序を識別する為の情報５０４は１番目に再生されたことを示す「１」、再生された区間がＣＭかを識別する為の情報５０７はＣＭであることを示す「ＣＭ」、この視聴履歴を提供するデジタル放送再生装置１０５のＣＡＳ−ＩＤ５０７は「９９９−９９９」であることを表す。
【００５５】
視聴履歴送信部２０８は、視聴履歴収集センター１０６に視聴履歴を送信するタイミングで、視聴履歴記憶部２０７から視聴履歴を取り出し、個人情報記憶部２０４から取り出した個人情報と関連付けを行い、視聴履歴収集センター１０６に送信する。視聴履歴を送信するタイミングは、定期的であってもよいし、所定量の視聴履歴が蓄積されたときでもよい。
【００５６】
次に、視聴履歴収集センター１０６について説明する。視聴履歴収集センター１０６は、デジタル放送再生装置１０５からインターネット網１０４を介して受信した視聴履歴を記憶する。視聴履歴収集センター１０６は、放送・通信局１００から受信した番組情報とコンテンツ識別のマッピングテーブルに基づいて、各コンテンツの区間視聴率やＣＭ視聴率を算出し、放送・通信１００に通知する。
【００５７】
図６は、視聴履歴収集センター１０６の構成を示す図である。視聴率収集センター６００は、視聴履歴受信部６０１と、視聴履歴記憶部６０２と、視聴率算出部６０３と、視聴率記憶部６０４と、制御部６０５と、視聴率送信部６０６と、コンテンツ情報受信部６０７と、コンテンツ情報記憶部６０８とを備えている。
【００５８】
視聴履歴受信部６０１は、デジタル放送再生装置１０５からインターネット網１０４を介して送信される視聴履歴情報を受信する。受信した視聴履歴情報は、視聴履歴記憶部６０２に記憶する。コンテンツ情報受信部６０７は、放送・通信局１００から放送や通信で送信したコンテンツのタイトルとコンテンツ識別情報をマッピングしたテーブルを受信する。コンテンツ情報受信部６０７は、受信したコンテンツ情報を、コンテンツ情報記憶部６０８に記憶する。
【００５９】
視聴率算出部６０３は、制御部６０５からの指示で視聴履歴記憶部６０２に記憶された視聴履歴情報とコンテンツ情報をコンテンツ情報記憶部６０８に記憶されたコンテンツ情報に基づいて視聴率の算出を行い、視聴率記憶部６０４に結果を記憶する。コンテンツ情報を用いることにより、視聴履歴に基づいて求めた視聴率を、そのコンテンツの名称等と関連付けることができる。視聴率送信部６０６は、制御部６０５からの指示で視聴率記憶部６０４に記憶された視聴率情報を放送・通信局１００に対して送信する。
【００６０】
図７は、デジタル放送再生装置１０５で視聴履歴を視聴履歴収集センター１０６に送信する動作を示している。
【００６１】
デジタル放送再生装置１０５の制御部２０９は、セグメントメタデータを利用したコンテンツの再生指示が行われたかを判定する（Ｓ１０１）。セグメントメタデータを利用したコンテンツの再生指示が行われていない場合は、待機状態に戻る。セグメントメタデータを利用したコンテンツの再生指示が行われた場合は、制御部２０９は、指定されたコンテンツが蓄積済みであるかを判定する（Ｓ１０２）。指定されたコンテンツが蓄積済みでない場合は、コンテンツが蓄積されるまで待機状態に戻る。指定されたコンテンツが蓄積済みの場合、制御部２０９は、指定されたセグメントメタデータを利用してコンテンツの区間再生を開始し（Ｓ１０３）、セグメントメタデータに指定されたコンテンツの再生終了点まで再生を行う（Ｓ１０４）。指定されたコンテンツが蓄積されていない場合には、指定されたコンテンツが蓄積されるまで待機する。再生がセグメントメタデータに指定されたコンテンツの再生終了点まで到達した場合、制御部２０９は、別のセグメントメタデータを利用した連続再生指示であるかを判定する（Ｓ１０５）。別のセグメントメタデータを利用した連続再生指示である場合は、制御部２０９は、別に指定されたセグメントメタデータを利用してコンテンツの区間再生を開始する。連続再生指示されたセグメントメタデータの再生を全て完了した時点で、制御部２０９は、再生セグメント情報とコンテンツ識別情報を関連付けて視聴履歴記憶部２０７に記憶する（Ｓ１０６）。デジタル放送再生装置１０５の制御部２０９は、視聴履歴収集センター１０６への送信タイミングであるかを判定し（Ｓ１０７）、送信タイミングである場合は、個人情報のアップロードが許可されているかを判定する（Ｓ１０８）。個人情報のアップロードが許可されている場合、視聴履歴送信部２０８は、視聴履歴記憶部２０７から取り出した視聴履歴情報と個人情報記憶部２０４から取り出した個人情報を関連付けて視聴履歴収集センター１０６に送信する（Ｓ１０９）。個人情報のアップロードが許可されていない場合、視聴履歴送信部２０８は、個人情報を付加せずに視聴履歴送信部２０８が視聴履歴記憶部２０７から視聴履歴情報を取り出し、視聴履歴収集センター１０６に送信する（Ｓ１１０）。視聴履歴収集センター１０６に送信が完了した時点で、制御部２０９は、視聴履歴記憶部２０７に記憶された視聴履歴情報を削除する（Ｓ１１１）。
【００６２】
以上、本実施の形態のデジタル放送再生装置１０５、視聴履歴収集システム１および視聴履歴収集方法について説明した。
【００６３】
本実施の形態の視聴履歴収集システム１は、セグメントメタデータを利用してコンテンツの一部を再生した場合に、視聴率を算出することが可能である。これにより、例えば、視聴者がＣＭのみを先に視聴し、本編を連続して視聴した場合でも、セグメントごとに視聴率に反映することができるので、ＣＭの視聴率、本編の視聴率をそれぞれ求めることができる。
【００６４】
以上に本発明の好適な実施の形態を説明した。しかし、本発明は上述の実施の形態に限定されず、当業者が本発明の範囲内で上述の実施の形態を変形可能なことはもちろんである。
【００６５】
上記した実施の形態において、セグメントメタデータを利用して、１つのＣＭ毎にリモコンなどで次のＣＭを再生するボタンを押下しないと次のＣＭが再生されないようにしてもよい。これにより、ＣＭ再生中は確実に在席していることが保障され、ＣＭの効果が向上する。また、この場合にも、ＣＭごとの視聴履歴を収集することが可能である。
【００６６】
上記した実施の形態では、個人情報が秘匿性の高いＣＡＳ−ＩＤ５０７を用いたが、視聴者を識別できる情報であれば、氏名、住所などの情報を用いてもよい。
【００６７】
上記した実施の形態において、視聴履歴情報に、例えば、視聴日時を含めてもよい。視聴日時を含めた視聴履歴を視聴率収集センターで収集し、視聴日時に応じた広告料金のディスカウントのための情報として利用してもよい。
【産業上の利用可能性】
【００６８】
以上説明したとおり、本発明は、蓄積したコンテンツをセグメントメタデータを利用して再生した際に、セグメントごとの視聴履歴を収集できるという効果を有し、放送局、広告会社、広告主において視聴率を収集する装置として有用である。
【図面の簡単な説明】
【００６９】
【図１】本発明の実施の形態におけるデジタル放送再生装置の要部の構成を示すブロック図
【図２】本発明の実施の形態における視聴履歴収集システムの構成例を示す図
【図３】コンテンツ記憶部に記憶されたコンテンツの内容の例を示す図
【図４】コンテンツの区間再生を行うために利用するセグメントメタデータの例を示す図
【図５】視聴履歴情報と個人情報を関連付けた情報の例を示す図
【図６】視聴履歴収集センターの要部の構成を示すブロック図
【図７】視聴履歴収集システムの動作を示すフロー図
【符号の説明】
【００７０】
１  視聴履歴収集システム
１００  放送・通信局
１０２  放送設備
１０３  放送所（衛星や東京タワーなどの電波塔）
１０４  インターネット網
１０５  デジタル放送再生装置
１０６  視聴履歴収集センター
２０１  コンテンツ受信部
２０２  コンテンツ再生部
２０３  コンテンツ再生操作受信部
２０４  個人情報記憶部
２０５  コンテンツ記憶部
２０６  再生セグメント情報抽出部
２０７  視聴履歴記憶部
２０８  視聴履歴送信部
２０９  制御部
３０１  コンテンツ記憶部に記憶されたコンテンツＡ
３０２  コンテンツ記憶部に記憶されたコンテンツＢ
４０１  セグメント識別子
４０２  セグメントタイトル
４０３  セグメント開始点
４０４  セグメント終了点
４０５  対象コンテンツ識別子
４０６  セグメントグループ
５０１  セグメント識別子
５０２  視聴開始区間
５０３  視聴終了区間
５０４  視聴順序
５０５  コンテンツ識別子
５０６  視聴グループ
５０７  ＣＭ識別
５０８  ＣＡＳ−ＩＤ
６００  視聴履歴収集センター
６０１  視聴履歴受信部
６０２  視聴履歴記憶部
６０３  視聴率算出部
６０４  視聴率記憶部
６０５  制御部
６０６  視聴率送信部
６０７  コンテンツ情報受信部
６０８  コンテンツ情報記憶部
【図１】
2008092526.tif 000003
【図２】
2008092526.tif 000004
【図３】
2008092526.tif 000005
【図４】
2008092526.tif 000006
【図５】
2008092526.tif 000007
【図６】
2008092526.tif 000008
【図７】
2008092526.tif 000009